(57)【要約】【課題】空気調和機の室内ユニットの電装品と電源コードとの接続部において、感電防止用の樹脂製絶縁チューブを使用せず、部品点数の削減、組立工数の削減と作業品質の向上を図る。【解決手段】電源コード８を接続する接続端子５と電装品収納ボックス３の間に接続電線端子台６と一体で箱状のカバー部６ａを設け、カバー部６ａの箱状を成す左右側壁６ｂ６ｃに爪６ｄ，６ｅを設け、爪６ｄ，６ｅに別部品の絶縁カバー７を絶縁カバー７に設けた係合部６ｆ，６ｇを嵌合することにより、電源コード８を接続する接続端子５と電源コード８のファストン端子８ａを覆うように取り付けたものである。【選択図】図１
2008111601.tif 000002
【特許請求の範囲】
【請求項１】
空気調和機の室内機に電源を供給するために、先端に接続用のファストン端子を備えた電源コードを接続する接続端子を備えた接続電線端子台を電装品収納ボックスに配置した空気調和機の室内ユニットにおいて、前記電源コードを接続する前記接続端子と前記電装品収納ボックスの間に前記接続電線端子台と一体で箱状のカバー部を設け、前記カバー部の箱状を成す左右側壁に爪を設け、該爪に別部品の絶縁カバーを前記絶縁カバーに設けた係合部を嵌合することにより前記接続電線端子台の前記接続端子と、前記接続端子に接続した前記ファストン端子を覆うように取り付けたことを特徴とする空気調和機。
【請求項２】
空気調和機の室内機に電源を供給するために、先端に接続用のファストン端子を備えた電源コードを接続する接続端子を備えた接続電線端子台を電装品収納ボックスに配置した空気調和機の室内ユニットにおいて、前記電装品収納ボックスに、前記接続端子を囲うようにリブを形成してカバー部を設け、該リブの箱状を成す左右側壁に爪を設け、該爪に別部品の絶縁カバーを前記絶縁カバーに設けた係合部を嵌合することにより前記接続電線端子台の前記接続端子と前記接続端子に接続した前記ファストン端子を覆うように取り付けたことを特徴とする空気調和機。
【請求項３】
絶縁カバーの材料を透明材料としたことを特徴とする請求項１又は２に記載の空気調和機。
【発明の詳細な説明】
【技術分野】
【０００１】
本発明は空気調和機の室内ユニットにおける電源コード接続部の保護カバーに関するものである。
【背景技術】
【０００２】
従来の空気調和機の電源コード接続口について説明する。ただし、かかる先行技術は文献公知発明に係わるものではないため、記載すべき先行技術文献情報はない。
【０００３】
図６は従来の空気調和機の室内機の端子台の斜視図である。図６に示すように、電源コードの先端に圧着されたファストン端子に樹脂製の絶縁チューブが被せられ、接続電線端子台の接続端子に接続されて、感電防止を図ると共に接続端子部に粉塵が堆積するのを防止している。
【発明の開示】
【発明が解決しようとする課題】
【０００４】
しかしながら、上記構成では、電源コードのファストン端子に樹脂製の絶縁チューブを取り付ける作業に工数を要する。また、電源コードのファストン端子と絶縁チューブの間に接続電線端子台の接続端子が誤って挿入されることがあり、組立作業に注意が必要である。
【課題を解決するための手段】
【０００５】
上記課題を解決するために本発明は、電源コードを接続する接続端子と電装品収納ボックスの間に接続電線端子台と一体で箱状のカバー部を設け、該カバー部の箱状を成す左右側壁に爪を設け、該爪に別部品の絶縁カバーを該絶縁カバーに設けた係合部を嵌合することにより電源コードを接続する接続端子と電源コードのファストン端子を覆うように取り付けたものである。
【発明の効果】
【０００６】
本発明の空気調和機によれば、上記手段により、電源コードのファストン端子に樹脂製の絶縁チューブを取り付ける作業工数を廃止出来ると共に、電源コードのファストン端子と絶縁チューブの間に、接続電線端子台の接続端子が誤挿入されることも防止することが出来る。
【発明を実施するための最良の形態】
【０００７】
第１の発明は、空気調和機の室内機に電源を供給するために、先端に接続用のファストン端子を備えた電源コードを接続する接続端子を備えた接続電線端子台を電装品収納ボックスに配置した空気調和機の室内ユニットにおいて、前記電源コードを接続する前記接続端子と前記電装品収納ボックスの間に前記接続電線端子台と一体で箱状のカバー部を設け、前記カバー部の箱状を成す左右側壁に爪を設け、該爪に別部品の絶縁カバーを前記絶縁カバーに設けた係合部を嵌合することにより前記接続電線端子台の前記接続端子と前記接続端子に接続した前記ファストン端子を覆うように取り付けたことを特徴とする。
【０００８】
この構成によれば、電源コードのファストン端子に樹脂製の絶縁チューブを取り付ける作業の廃止によりコストおよび工数削減が出来、また電源コードのファストン端子と絶縁チューブの間に、接続電線端子台の接続端子が誤挿入されることを防止することが出来る。
【０００９】
第２の発明は、空気調和機の室内機に電源を供給するために、先端に接続用のファストン端子を備えた電源コードを接続する接続端子を備えた接続電線端子台を電装品収納ボックスに配置した空気調和機の室内ユニットにおいて、前記電装品収納ボックスに、前記接続端子を囲うようにリブを形成してカバー部を設け、該リブの箱状を成す左右側壁に爪を設け、該爪に別部品の絶縁カバーを前記絶縁カバーに設けた係合部を嵌合することにより前記接続電線端子台の前記接続端子と前記接続端子に接続した前記ファストン端子を覆うように取り付けたことを特徴とする。
【００１０】
この構成によれば、リブを電装品収納ボックスに形成することは容易であり、箱状のリブを電装品収納ボックス側に設けたことにより、電源コードのファストン端子をターミナルの接続端子に接続する時の作業性を向上することが出来る。
【００１１】
第３の発明は、別部品の絶縁カバーの材料を透明材料としたことを特徴とする。この構成によれば、別部品の絶縁カバーを接続電線端子台に設けた爪に嵌合した後でも、接続状況を絶縁カバーを通して確認することが出来る。
【００１２】
以下、本発明の実施の形態について、図面を参照しながら説明する。なお、本実施の形態によって本発明が限定されるものではない。
【００１３】
（実施の形態１）
図１は本発明の実施の形態１における空気調和機の部分断面斜視図、図２は本発明の実施の形態１における空気調和機の電装品収納ボックスの正面図である。図１，２に示すように、外装部の一部を形成する前面枠１には開閉可能な吸入グリル２が取り付けられている。また前面枠１の内部に収納した電装品収納ボックス３には空気調和機の室外ユニットと室内ユニットを電気的に接続するための内外接続ターミナル４と、電源の供給を受ける接続端子５を備えた接続電線端子台６が配設され、その接続電線端子台６と相対する前面枠１に部分切り欠き部１ａが設けられ、その切り欠き部１ａを塞ぐ扉１ｂが前面枠１に開閉自在に取り付けられている。
【００１４】
図３，４は本発明の実施の形態１における空気調和機の接続電線端子台の斜視図で、図３はファストン端子を備えた電源コードを接続していない状態で、図４は電源コードを接続して別部品の絶縁カバーを係合しようとする状態ある。図３に示すように、電源の供給を受ける接続端子５は接続電線端子台６の下部にあり、端子５の背面側に接続電線端子台６と一体で、端子５の背面側を覆う形の箱状のカバー部６ａを形成している。カバー部６ａの箱状を成す側壁６ｂ，６ｃには三角形状の爪６ｄ，６ｅが配設されている。また、図４に示すように、絶縁カバー７はカバー部６ａを覆うように形成され、爪６ｄ，６ｅに対向する位置に係合部６ｆ，６ｇを有して着脱可能に嵌合されている。
【００１５】
電源コード８は先端にファストン端子８ａが圧着されており接続電線端子台６の接続端子５に接続される。その後、絶縁カバー７の係合部６ｆ，６ｇを爪６ｄ，６ｅに嵌合することにより、電源コード８のファストン端子８ａと接続電線端子台６の接続端子５の接続部に外部から触れるのを防止することが出来ると共に接続端子部に粉塵が堆積するのを防止することが出来る。この時、ファストン端子８ａの接続作業性の向上を図るため、端子５は前面側に若干の角度をつけておくことが望ましい。また、絶縁カバー７の透明度を上げた材料を使用することにより、絶縁カバー７を取り付けた後電源コード８のファストン端子８ａの接続状況を確認することが出来る。
【００１６】
（実施の形態２）
図５は、本発明の実施の形態２における空気調和機の電装品収納ボックスの分解斜視図である。ここで、実施の形態１と同一のものについては、同一の符号を付して説明を省略
する。図５においては、実施の形態１で説明した箱状のカバー部６ａを電装品収納ボックス３に一体に形成したものであり、電装品収納ボックス３に、接続端子５を囲うようにリブ３ａを形成してカバー部６ａを設け、リブ３ａの箱状を成す左右側壁６ｂ，６ｃに爪６ｄ，６ｅを設けている。
【００１７】
接続電線端子台６に電源コード８のファストン端子８ａを接続した後、電装品収納ボックス３に取り付け、絶縁カバー７を取り付ける。これにより、実施の形態１と異なり、ファストン端子８ａを接続電線端子台６の接続端子５に接続する時の作業性が改善される。
【産業上の利用可能性】
【００１８】
電源コードを接続する接続端子と電装品収納ボックスの間に接続電線端子台と一体で箱状のカバー部を設け、そのカバー部の箱状を成す左右側壁に爪を設け、該爪に別部品の絶縁カバーを該絶縁カバーに設けた係合部を嵌合することにより電源コードを接続する接続端子と電源コードのファストン端子を覆うように取り付けたものであり、電源コードのファストン端子のカバーに樹脂製の絶縁チューブを用いる電源供給装置を備えた機器に有効である。
【図面の簡単な説明】
【００１９】
【図１】本発明の実施の形態１における空気調和機の部分断面斜視図
【図２】本発明の実施の形態１における空気調和機の電装品収納ボックスの正面図
【図３】本発明の実施の形態１における空気調和機の内外接続端子台の斜視図
【図４】本発明の実施の形態１における空気調和機の内外接続端子台の斜視図
【図５】本発明の実施の形態２における空気調和機の電装品収納ボックスの分解斜視図
【図６】従来例を示す空気調和機の内外接続端子台の斜視図
【符号の説明】
【００２０】
１  前面枠
１ａ  切欠き部
２  吸入グリル
３  電装品収納ボックス
４  内外接続ターミナル
５  接続端子
６  接続電線端子台
６ａ  カバー部
６ｂ，６ｃ  側壁
６ｄ，６ｅ  爪
６ｆ，６ｇ  係合部
７  絶縁カバー
８  電源コード
８ａ  ファストン端子
【図１】
2008111601.tif 000003
【図２】
2008111601.tif 000004
【図３】
2008111601.tif 000005
【図４】
2008111601.tif 000006
【図５】
2008111601.tif 000007
【図６】
2008111601.tif 000008